(57)【要約】【課題】表示画面のスクロールや拡大・縮小を行う際の操作性を向上させる。【解決手段】加速度センサ２５は、携帯電話２の移動方向および移動量を検出する。ＣＰＵ２０は、携帯電話２を上下左右斜めに移動させると、その移動量に応じてＬＣＤ１５の表示画面を上下左右斜めにスクロールさせ、手前に移動させると表示画面を拡大、奥に移動させると縮小させるように制御する。加速度センサ２５は、携帯電話２が静止したときに、その静止位置を移動方向および移動量を検出する基準点として設定する。【選択図】        図２
2004191642.tif 000002
【特許請求の範囲】
【請求項１】
画像を表示する表示装置本体と、この表示装置本体の画像表示面を基準にした移動方向および移動量を検出する検出手段と、
検出手段の検出信号に応じて前記表示装置本体の表示画像をスクロールまたは拡大・縮小する制御手段とを備えたことを特徴とする画像表示装置。
【請求項２】
前記表示装置本体は携帯可能に構成され、保持者による表示装置本体の移動操作によって、前記表示画像がスクロールまたは拡大・縮小されることを特徴とする請求項１に記載の画像表示装置。
【請求項３】
前記検出手段は、前記画像表示面に略平行な方向での表示装置本体の移動を感知して、その移動方向および移動量を検出し、
前記制御手段は、前記検出手段の検出信号に応じて表示画面をスクロールさせることを特徴とする請求項１または２に記載の画像表示装置。
【請求項４】
前記検出手段は、前記画像表示面に略直交する方向での表示装置本体の移動を感知して、その移動方向および移動量を検出し、
前記制御手段は、前記検出手段の検出信号に応じて表示画面を拡大または縮小させることを特徴とする請求項１乃至３いずれか１つに記載の画像表示装置。
【請求項５】
前記検出手段は加速度センサを備え、この加速度センサは、表示装置本体が静止したときに、その静止位置を前記移動方向および移動量を検出する基準点として設定することを特徴とする請求項１乃至４いずれか１つに記載の画像表示装置。
【発明の詳細な説明】
【０００１】
【発明の属する技術分野】
本発明は、携帯電話や携帯型情報端末に搭載される画像表示装置に関する。
【０００２】
【従来の技術】
近年、インターネット接続機能や、現在位置の確認が可能なＧＰＳ（Global Positioning System ）機能、カメラ機能などを付加した携帯電話が急激に普及している。これに伴って、携帯電話に搭載される液晶表示装置の性能も向上し、より鮮明な画像を表示することが可能となっている。
【０００３】
ＧＰＳやインターネット接続機能が付加された携帯電話では、現在位置周辺の地図情報をインターネットサーバからダウンロードし、液晶表示装置にダウンロードした地図を表示する地図情報サービスを利用することができる。なお、ＧＰＳ機能を有する携帯型情報端末には、ＧＰＳによる位置データおよび端末本体の方向データから、備え付けのカメラで撮影した画像と予め記憶された画像とを対応させて合成するものが提案されている（特許文献１参照）。
【０００４】
【特許文献１】
特表２００１−５０３１３４号公報
【０００５】
【発明が解決しようとする課題】
従来の携帯電話では、地図情報サービスの利用時には、携帯電話本体に設けられたカーソルキーやトラックボールなどを操作することで、液晶表示装置の表示画面のスクロールや拡大・縮小を行っているが、携帯電話の機種により操作方法が異なるなど、操作性に問題がある。また、液晶表示装置には画像の一部だけしか表示されないため、画像の全体像を感覚的に把握することが困難で、利用者が不便を感じていた。
【０００６】
本発明は、表示画面のスクロールや拡大・縮小を行う際の操作性を向上させ、あたかも実物を見ているかのように画像を表示する画像表示装置を提供することを目的とする。
【０００７】
【課題を解決するための手段】
上記目的を達成するために、本発明の画像表示装置は、画像を表示する表示装置本体と、この表示装置本体の画像表示面を基準にした移動方向および移動量を検出する検出手段と、検出手段の検出信号に応じて前記表示装置本体の表示画像をスクロールまたは拡大・縮小する制御手段とを備えたことを特徴とする。
【０００８】
また、前記表示装置本体は携帯可能に構成され、保持者による表示装置本体の移動操作によって、前記表示画像がスクロールまたは拡大・縮小されることを特徴とする。
【０００９】
前記検出手段は、前記画像表示面に略平行な方向での表示装置本体の移動を感知して、その移動方向および移動量を検出し、前記制御手段は、前記検出手段の検出信号に応じて表示画面をスクロールさせる。あるいは、前記検出手段は、前記画像表示面に略直交する方向での表示装置本体の移動を感知して、その移動方向および移動量を検出し、前記制御手段は、前記検出手段の検出信号に応じて表示画面を拡大または縮小させる。
【００１０】
また、前記検出手段は加速度センサを備え、この加速度センサは、表示装置本体が静止したときに、その静止位置を前記移動方向および移動量を検出する基準点として設定する。
【００１１】
【発明実施の形態】
図１において、携帯電話２は、上部本体１０と下部本体１１とが、ヒンジ部１２を介して回動自在に係合された構成となっている。上部本体１０の背面にはアンテナ１３が収納されており、前面には受話スピーカ１４および液晶表示装置（ＬＣＤ）１５が設けられている。下部本体１１には、送話マイク１６、選択キー１７（１点鎖線で囲む部分）とダイヤルキー１８（２点鎖線で囲む部分）とからなる操作部１９が設けられている。
【００１２】
ヒンジ部１２には、携帯電話２の使用時に上部本体１０と下部本体１１とが図示する所定の角度で係止するように、クリック機構（図示せず）が設けられている。携帯電話２の非使用時には、上部本体１０と下部本体１１とは折り畳まれて携帯される。
【００１３】
受話スピーカ１４は、通信相手の音声や着信メロディを出力する。送話マイク１６は、話し手の音声を集音する。選択キー１７は、電話番号やメールアドレスの登録などの各種設定メニューの選択・設定、インターネット接続サービスやメールサービスを利用する際に操作される。ダイヤルキー１８は、電話番号やメールの文章などを入力する際に操作される。
【００１４】
アンテナ１３は、通話やメール、インターネットを利用する際に上部本体１０から引き出され、他の携帯電話やインターネットサーバなどからの電波信号を受信するとともに、携帯電話２から発信される電波信号を外部に送信する。図２に示すように、アンテナ１３で送受信した電波信号は、通信Ｉ／Ｆ２１を介してＣＰＵ２０または外部に送信される。
【００１５】
ＣＰＵ２０は、携帯電話２の各部の動作を統括的に制御する。このＣＰＵ２０は、通信Ｉ／Ｆ２１を介して送信される電波信号に各種信号処理を施し、受話スピーカ１３やＬＣＤ１５に音声や画像として出力するとともに、送話マイク１６からの音声信号や操作部１９から入力される通信要求信号などを電波信号に変換し、通信Ｉ／Ｆ２１およびアンテナ１３を介して外部に送信する。
【００１６】
ＬＣＤ１５には、各種設定メニューからなるメニュー画面、着信相手の電話番号やメールアドレス、インターネットサーバからダウンロードした画像などがＬＣＤドライバ２２を介して表示される。
【００１７】
位置検出部２３は、人工衛星からの電波によるＧＰＳを用いて、携帯電話２の位置を検出する。位置検出部２３による検出結果は、ＣＰＵ２０に送信される。
携帯電話２では、このＧＰＳやインターネット接続機能を用いて、現在位置周辺の地図情報をインターネットサーバからダウンロードし、ＬＣＤ１５にダウンロードした地図３０（図４参照）を表示する地図情報サービスを利用することができる。インターネットサーバからダウンロードされた地図情報や、操作部１９から入力された電話番号、メールアドレス、各種設定情報は、メモリ２４に記憶される。
【００１８】
加速度センサ２５は、携帯電話２の移動方向および移動量を検出する。加速度センサ２５による検出結果は、ＣＰＵ２０に送信される。ＣＰＵ２０は、この検出結果に応じて、ＬＣＤドライバ２２を介してＬＣＤ１５の表示画面のスクロールや拡大・縮小を行う。すなわち、携帯電話２を上下左右斜めに移動させると、その移動量に応じてＬＣＤ１５の表示画面を上下左右斜めにスクロールさせ、手前に移動させると表示画面を拡大、奥に移動させると縮小させるように制御する。
【００１９】
加速度センサ２５は、携帯電話２が静止したときに、その静止位置を移動方向および移動量を検出する基準点として設定する。これにより、携帯電話２の移動方向および移動量に即した表示画面のスクロールや拡大・縮小が行われる。なお、加速度センサ２５としては、例えばCrossbow Technology 社製の３軸加速度センサが用いられる。
【００２０】
次に、携帯電話２で地図情報サービスを利用した際の処理手順について、図３のフローチャート、および図４を参照しながら説明する。まず、位置検出部２３で携帯電話２の現在位置を検出した後、操作部１９を操作してインターネットサーバにアクセスし、現在位置周辺の地図情報をインターネットサーバからメモリ２４にダウンロードする。
【００２１】
ダウンロードした地図情報をメモリ２４からＣＰＵ２０に読み出し、ＣＰＵ２０で画像処理を施した後、ＬＣＤドライバ２２を介してＬＣＤ１５に地図３０を表示する。そして、携帯電話２の静止位置を加速度センサ２５の基準点に設定する。
【００２２】
利用者は、必要な情報を得るために、携帯電話２を上下左右斜め、奥行き方向に移動させる。加速度センサ２５で携帯電話２の移動方向および移動量を検出する。ＣＰＵ２０は、加速度センサ２５の検出結果に応じてＬＣＤ１５の表示画面のスクロールや拡大・縮小を行う。なお、加速度センサ２５で検出エラーが発生した場合や、携帯電話２を静止させた場合は、再びその位置を基準点として設定する。地図情報サービスの利用を終了する場合は、操作部１９を操作してインターネットサーバとの接続を切断する。
【００２３】
上記のような構成であると、図４で仮想的に示すように、利用者は、携帯電話２を移動させるだけで、あたかも実際に地図があるかのような感覚で表示画面のスクロールや拡大・縮小を行うことができる。また、表示画面が小さいＬＣＤであっても、大きいサイズの画像を扱いやすくすることができる。
【００２４】
なお、上記実施形態では、携帯電話２を手前に移動させると表示画面を拡大、奥に移動させると縮小させるようにしたが、手前に移動させると表示画面を縮小、奥に移動させると拡大させるようにしてもよい。同様にして、携帯電話２の操作方向と表示画面のスクロールとを反対にしてもよく、このような操作方向とスクロール、拡大・縮小との対応を、利用者の好みに応じて選択可能としてもよい。
【００２５】
上記実施形態では、地図情報サービスを例として挙げたが、写真や文字情報を閲覧する場合や、ブティックやレストランなどの店舗内を紹介する全方位画像をインターネットサーバからダウンロードして閲覧する場合に、本発明を適用してもよい。また、本発明は、上記実施形態の携帯電話に限らず、他の携帯型情報端末に搭載される画像表示装置にも適用することができる。
【００２６】
【発明の効果】
以上のように、本発明の画像表示装置によれば、画像を表示する表示装置本体と、この表示装置本体の画像表示面を基準にした移動方向および移動量を検出する検出手段と、検出手段の検出信号に応じて表示装置本体の表示画像をスクロールまたは拡大・縮小する制御手段とを備えたので、カーソルキーなどによる操作が不要になり、簡単に表示画面のスクロールや拡大・縮小を行うことができる。これにより操作性が向上し、あたかも実物を見ているかのように画像を表示することができる。
【００２７】
また、加速度センサは、装置本体が静止したときに、その静止位置を移動方向および移動量を検出する基準点として設定するので、移動方向および移動量に即した表示画面のスクロールや拡大・縮小を行うことができる。
【図面の簡単な説明】
【図１】本発明を実施した携帯電話の構成を示す斜視図である。
【図２】携帯電話の電気的構成を示すブロック図である。
【図３】携帯電話で地図情報サービスを利用した際の処理手順を示すフローチャートである。
【図４】ＬＣＤに地図を表示した状態を示す図である。
【符号の説明】
２  携帯電話
１３  アンテナ
１５  液晶表示装置（ＬＣＤ）
１９  操作部
２０  ＣＰＵ
２１  通信Ｉ／Ｆ
２２  ＬＣＤドライバ
２３  位置検出部
２４  メモリ
２５  加速度センサ
３０  地図
【図１】
2004191642.tif 000003
【図２】
2004191642.tif 000004
【図３】
2004191642.tif 000005
【図４】
2004191642.tif 000006